(57)【要約】【課題】送風手段の送風方向の下流側に対向する壁部を有する構成において、送風方向と交差する交差方向へ送風するときの送風の圧力損失を抑制する。【解決手段】送風構造１００は、旋回流を生じさせて送風するファン１０２と、ファン１０２の送風方向の下流側にファン１０２と対向して設けられたダクトカバー部１２０と、ファン１０２とダクトカバー部１２０との間に設けられ、送風方向と交差する交差方向へファン１０２の旋回流を案内する整流部１１０と、を有している。ここで、ファン１０２で生じた旋回流は、ファン１０２とダクトカバー部１２０との間で整流部１１０に案内され、送風方向と交差する交差方向へ旋回したままの状態で流れる。これにより、ダクトカバー部１２０がファン１０２に近接していても、送風の圧力が減少しにくくなるので、送風方向と交差する交差方向へ送風するときの送風の圧力損失を抑制することができる。【選択図】図９
2013205476.tif 000002
【特許請求の範囲】
【請求項１】
回転軸に設けられた複数の翼部の回転により該回転軸を中心とした旋回流を生じさせて送風する送風手段と、
前記送風手段の送風方向の下流側に前記送風手段と対向して設けられた壁部と、
前記送風手段と前記壁部との間に設けられ、前記送風方向と交差する交差方向へ前記送風手段の旋回流を案内するように少なくとも１回折り曲げられた屈曲部又は湾曲された湾曲部を備えた整流部と、
を有する送風構造。
【請求項２】
前記整流部と前記壁部が接続されてダクトを形成している請求項１に記載の送風構造。
【請求項３】
前記整流部は、前記送風手段の送風側の面から前記壁部までの空間を覆っている請求項１又は請求項２に記載の送風構造。
【請求項４】
前記整流部は、互いに異なる方向へ向けて配置された複数の整流板を有している請求項１から請求項３のいずれか１項に記載の送風構造。
【請求項５】
前記整流部は、前記回転軸の軸方向に見て前記送風手段の前記翼部が回転する領域と対向して設けられている請求項１から請求項４のいずれか１項に記載の送風構造。
【請求項６】
前記壁部は、旋回流を前記交差方向に案内する案内面を有している請求項１から請求項５のいずれか１項に記載の送風構造。
【請求項７】
前記壁部は、前記送風手段側へ向けて旋回流を案内する他の案内面を有している請求項６に記載の送風構造。
【請求項８】
前記整流部には、該整流部によって旋回流が案内される案内方向に沿って周壁が配置された送風ダクトが接続されている請求項１から請求項７のいずれか１項に記載の送風構造。
【請求項９】
前記整流部は、旋回流を案内する向きとは逆向きに屈曲又は湾曲され、該逆向きの方向の下流側に設けられた排気口へ旋回流を案内する請求項１から請求項８のいずれか１項に記載の送風構造。
【請求項１０】
前記整流部は、少なくとも１つの整流板で仕切られた複数の空間を有し、
少なくとも１組の隣接する前記複数の空間が、前記整流板に形成された孔部を介して繋がっている請求項１から請求項９のいずれか１項に記載の送風構造。
【請求項１１】
画像を形成して記録媒体に転写する画像形成部と、
前記画像形成部で形成された画像を記録媒体に定着する定着部と、
前記画像形成部及び前記定着部へ電力を供給する電源部と、
前記画像形成部、前記定着部、及び前記電源部の少なくとも１つに向けて送風する請求項１から請求項１０のいずれか１項に記載の送風構造と、
を有する画像形成装置。
【発明の詳細な説明】
【技術分野】
【０００１】
本発明は、送風構造及び画像形成装置に関する。
【背景技術】
【０００２】
特許文献１の画像形成装置は、装置本体の前方で開口部を開閉するカバーの内側に、装置本体内に送風するファン（軸流ファン）が設けられている。ファンの周囲には、ファンの回転方向に指向する複数の整流板が放射状に配置されている。そして、ファンを回転させ、カバーにおける整流板の下方に形成した吸気口から外気を吸入し、装置本体内の画像形成ユニットに送風して冷却している。
【０００３】
特許文献２の画像形成装置は、画像形成空間及び給紙空間とは区画され壁部と壁部に対向するカバー部材との間に形成される基板配置用空間と、基板配置用空間内で複数の素子をカバー部材側の面に向けた状態で配置される回路基板と、回路基板よりも壁部の側に設けられ吸気された空気がカバー部材に向けて吹き付けられるように開口する吸気口と、最も上に位置する素子の上端よりも少なくとも一部が上方で開口し且つカバー部材に設けられた排気口と、給紙空間内の空気を吸気し吸気口からカバー部材に向けて吹き付けて排気口へ送る吸気手段と、を有している。
【先行技術文献】
【特許文献】
【０００４】
【特許文献１】特開２０１１−６４７４８号公報
【特許文献２】特開２０１１−１０７５１１号公報
【発明の概要】
【発明が解決しようとする課題】
【０００５】
本発明は、送風手段の送風方向の下流側に対向する壁部を有する構成において、送風方向と交差する交差方向へ送風するときの送風の圧力損失を抑制することができる送風構造及び画像形成装置を得ることを目的とする。
【課題を解決するための手段】
【０００６】
本発明の請求項１に係る送風構造は、回転軸に設けられた複数の翼部の回転により該回転軸を中心とした旋回流を生じさせて送風する送風手段と、前記送風手段の送風方向の下流側に前記送風手段と対向して設けられた壁部と、前記送風手段と前記壁部との間に設けられ、前記送風方向と交差する交差方向へ前記送風手段の旋回流を案内するように少なくとも１回折り曲げられた屈曲部又は湾曲された湾曲部を備えた整流部と、を有する。
【０００７】
本発明の請求項２に係る送風構造は、前記整流部と前記壁部が接続されてダクトを形成している。
【０００８】
本発明の請求項３に係る送風構造は、前記整流部は、前記送風手段の送風側の面から前記壁部までの空間を覆っている。
【０００９】
本発明の請求項４に係る送風構造は、前記整流部は、互いに異なる方向へ向けて配置された複数の整流板を有している。
【００１０】
本発明の請求項５に係る送風構造は、前記整流部は、前記回転軸の軸方向に見て前記送風手段の前記翼部が回転する領域と対向して設けられている。
【００１１】
本発明の請求項６に係る送風構造は、前記壁部は、旋回流を前記交差方向に案内する案内面を有している。
【００１２】
本発明の請求項７に係る送風構造は、前記壁部は、前記送風手段側へ向けて旋回流を案内する他の案内面を有している。
【００１３】
本発明の請求項８に係る送風構造は、前記整流部には、該整流部によって旋回流が案内される案内方向に沿って周壁が配置された送風ダクトが接続されている。
【００１４】
本発明の請求項９に係る送風構造は、前記整流部は、旋回流を案内する向きとは逆向きに屈曲又は湾曲され、該逆向きの方向の下流側に設けられた排気口へ旋回流を案内する。
【００１５】
本発明の請求項１０に係る送風構造は、前記整流部は、少なくとも１つの整流板で仕切られた複数の空間を有し、少なくとも１組の隣接する前記複数の空間が、前記整流板に形成された孔部を介して繋がっている。
【００１６】
本発明の請求項１１に係る画像形成装置は、画像を形成して記録媒体に転写する画像形成部と、前記画像形成部で形成された画像を記録媒体に定着する定着部と、前記画像形成部及び前記定着部へ電力を供給する電源部と、前記画像形成部、前記定着部、及び前記電源部の少なくとも１つに向けて送風する請求項１から請求項１０のいずれか１項に記載の送風構造と、を有する。
【発明の効果】
【００１７】
請求項１の発明は、送風手段の送風方向の下流側に対向する壁部を有する構成において、送風手段と壁部との間で旋回流を案内しない構成に比べて、送風方向と交差する交差方向へ送風するときの送風の圧力損失を抑制することができる。
【００１８】
請求項２の発明は、壁部と整流部がダクトを形成していない構成に比べて、設定した方向へ送風することができる。
【００１９】
請求項３の発明は、送風手段の送風側の面から壁部までの空間が覆われていない構成に比べて、空気の漏れを低減することができる。
【００２０】
請求項４の発明は、複数の整流板を有していない構成に比べて、複数の方向へ送風することができる。
【００２１】
請求項５の発明は、翼部と整流部とが対向していない構成に比べて、送風構造を小型化することができる。
【００２２】
請求項６の発明は、壁部が他の案内面を有していない構成に比べて、壁部側へ流れてきた空気を交差方向へ案内することができる。
【００２３】
請求項７の発明は、湾曲面が送風手段側へ湾曲していない構成に比べて、送風手段の周囲へ送風することができる。
【００２４】
請求項８の発明は、送風ダクトの周壁が旋回流を案内する方向に沿って設けられていない構成に比べて、整流部よりも下流側における送風の圧力損失を抑制することができる。
【００２５】
請求項９の発明は、整流部が旋回流を案内する向きのみに屈曲又は湾曲されている構成に比べて、旋回流を送りにくい方向へ送風することができる。
【００２６】
請求項１０の発明は、整流部の複数の空間が繋がっていない構成に比べて、一方向への送風量を増加させることができる。
【００２７】
請求項１１の発明は、送風手段の配置に制約がある構成であっても、整流部を有していない構成に比べて、画像形成部、定着部、及び電源部の少なくとも１つを冷却することができる。
【図面の簡単な説明】
【００２８】
【図１】本発明の実施形態に係る画像形成装置の外観図である。
【図２】本発明の実施形態に係る画像形成装置の全体構成図である。
【図３】本発明の実施形態に係る画像形成装置の装置本体（カバー部材を外した状態）を示す側面図である。
【図４】本発明の実施形態に係る画像形成装置の装置本体の一部を斜め下方から見た状態を示す斜視図である。
【図５】本発明の実施形態に係る画像形成装置の装置本体の一部を斜め上方から見た状態を示す斜視図である。
【図６】本発明の実施形態に係る複数の画像形成ユニットの間の送風路を示す斜視図である。
【図７】本発明の実施形態に係る送風ファンから電源側ダクトまでの送風経路を示す説明図である。
【図８】本発明の実施形態に係る送風ファンの斜視図である。
【図９】本発明の実施形態に係る整流部を送風ファンの軸方向に見た部分拡大図である。
【図１０】本発明の実施形態に係る装置本体の内側から整流部を見た斜視図である。
【図１１】本発明の実施形態に係るダクトフレーム及びダクトベースを装置本体の内側から見た斜視図である。
【図１２】本発明の実施形態に係るダクトフレーム及びダクトベースを整流部側から見た斜視図である。
【図１３】本発明の実施形態に係るダクトフレームの斜視図である。
【図１４】（Ａ）、（Ｂ）本発明の実施形態に係る中間転写側ダクトを外側、内側から見た斜視図である。
【図１５】本発明の実施形態に係る送風ファンから電源側ダクトまでの送風状態を示す説明図である。
【図１６】（Ａ）、（Ｂ）本発明の実施形態に係る整流部の斜視図である。
【図１７】本発明の実施形態に係る画像形成装置内の側面部での空気の流れを示す説明図である。
【図１８】本発明の実施形態に係る中間転写ベルト及び定着ユニットの周囲の空気の流れを示す模式図である。
【図１９】本発明の実施形態に係る画像形成装置内の空気の流れを示す説明図である。
【発明を実施するための形態】
【００２９】
本発明の実施形態に係る送風構造及び画像形成装置の一例について説明する。
【００３０】
（全体構成）
図１には、本発明の実施形態の一例としての画像形成装置１０が示されている。なお、Ｘ方向、−Ｘ方向、Ｙ方向、−Ｙ方向、Ｚ方向、−Ｚ方向は、図中に示す矢印方向である。そして、図中の「○」の中に「×」が記載されたものは、手前から奥へ向かう矢印を意味し、図中の「○」の中に「・」が記載されたものは、奥から手前へ向かう矢印を意味する。
【００３１】
また、画像形成装置１０をユーザー（図示省略）が立つ側から正面視して、Ｘ方向は右方向、−Ｘ方向は左方向、Ｙ方向は上方向、−Ｙ方向は下方向、Ｚ方向は奥行き方向、−Ｚ方向は手前方向に相当している。そして、以後の説明では、Ｘ方向と−Ｘ方向、Ｙ方向と−Ｙ方向、Ｚ方向と−Ｚ方向をそれぞれ区別する必要が無い場合に、単にＸ方向、Ｙ方向、Ｚ方向ということがある。
【００３２】
画像形成装置１０は、全体が箱体状に形成されており、−Ｚ方向側を覆う前カバー１２と、Ｚ方向側を覆う後カバー（図示省略）と、−Ｘ方向側を覆う左カバー（図示省略）と、Ｘ方向側を覆う右カバー１４と、Ｙ方向側を覆う上カバー１６と、−Ｙ方向側を覆う底カバー（図示省略）と、を有している。
【００３３】
前カバー１２は、上下に分割されており、上側カバー部１２Ａと下側カバー部１２Ｂとで構成されている。さらに、上側カバー部１２Ａは、中央部及び中央下部と、その周辺部とに分割されている。そして、上側カバー部１２Ａの中央部及び中央下部は、ヒンジ部材（図示省略）が取り付けられ一体で−Ｚ方向へ開放される第１開閉カバー１２Ｃとされている。なお、第１開閉カバー１２Ｃは、上部が−Ｚ方向側へ倒れることで開放される。
【００３４】
第１開閉カバー１２Ｃは、記録媒体の一例としての記録用紙Ｐ（図示省略）がユーザーの手差しで供給される手差し部（図示省略）の−Ｚ方向側部分を構成している。また、下側カバー部１２Ｂは、後述する用紙収容部２２の−Ｚ方向側部分を構成している。
【００３５】
右カバー１４は、中央部と周辺部とに分割されており、中央部は、ヒンジ部材（図示省略）が取り付けられＸ方向へ開放される第２開閉カバー１４Ａとされている。なお、第２開閉カバー１４Ａは、上部がＸ方向側へ倒れることで開放される。また、右カバー１４の周辺部における−Ｚ方向で且つＹ方向の部位（手前上部）には、Ｘ方向に貫通した複数のスリットで構成された吸気口１５が設けられている。
【００３６】
上カバー１６は、中央部分が−Ｙ方向に窪んだ形状となっており、この窪んだ部位が、記録用紙Ｐが排出される排出部１７とされている。排出部１７のＺ方向側には、Ｙ方向に直立した直立壁１７Ａが形成されており、直立壁１７Ａには、記録用紙Ｐが−Ｚ方向に排出される排出口１７Ｂが形成されている。また、上カバー１６の−Ｚ方向で且つ−Ｘ方向の部位（手前左側部）には、ユーザーが操作する操作パネル１８が設けられている。
【００３７】
さらに、上カバー１６には、排出部１７の−Ｘ方向側でＹ方向に貫通した複数のスリットからなる左側排気口１６Ａと、排出部１７のＺ方向側でＹ方向に貫通した複数のスリットからなる奥側排気口１６Ｂとが形成されている。
【００３８】
図２に示すように、画像形成装置１０は、各カバー（図１参照）が外部に取り付けられるとともに内部に各構成部品が設けられる装置本体１０Ａを有している。また、画像形成装置１０は、記録用紙Ｐが収容される用紙収容部２２と、記録用紙Ｐに画像を形成する画像形成部２４と、用紙収容部２２から画像形成部２４へ記録用紙Ｐを搬送する搬送部２６と、画像形成部２４で形成された画像を記録用紙Ｐに定着する定着部の一例としての定着装置６０と、画像形成装置１０の各部の動作を制御する制御部２０と、画像形成部２４及び定着装置６０へ電力を供給する電源部７０と、画像形成部２４、定着装置６０、及び電源部７０に向けて送風する送風構造１００と、を有している。
【００３９】
画像形成部２４は、イエロー（Ｙ）、マゼンタ（Ｍ）、シアン（Ｃ）、ブラック（Ｋ）の各色の現像剤像（以後、トナー画像という）を形成する画像形成ユニット３２Ｙ、３２Ｍ、３２Ｃ、３２Ｋと、画像形成ユニット３２Ｙ、３２Ｍ、３２Ｃ、３２Ｋで形成されたトナー画像が転写される中間転写ベルト３４と、画像形成ユニット３２Ｙ、３２Ｍ、３２Ｃ、３２Ｋで形成されたトナー画像を中間転写ベルト３４に転写する一次転写ロール３６と、一次転写ロール３６によって中間転写ベルト３４に転写されたトナー画像を中間転写ベルト３４から記録用紙Ｐへ転写する二次転写ロール３８と、を有している。なお、画像形成部２４は、上記の構成に限定されず他の構成であっても良く、記録用紙Ｐに画像を形成するものであればよい。
【００４０】
画像形成ユニット３２Ｙ、３２Ｍ、３２Ｃ、３２Ｋは、Ｚ方向に対して傾斜した状態で、装置本体１０Ａ内に並んで配置されている。また、画像形成ユニット３２Ｙ、３２Ｍ、３２Ｃ、３２Ｋは、一方向（一例として図１における時計回り方向）へ回転する感光体３１をそれぞれ有している。なお、画像形成ユニット３２Ｙ、３２Ｍ、３２Ｃ、３２Ｋは、同様の構成となっている。このため、図２では、画像形成ユニット３２Ｙ、３２Ｍ、３２Ｃ、３２Ｋを構成する各部材の符号について、Ｙ、Ｍ、Ｃ、Ｋを省略している。また、以後の説明では、Ｙ、Ｍ、Ｃ、Ｋを区別して説明する必要が無い場合は、符号のＹ、Ｍ、Ｃ、Ｋを省略して記載することがある。
【００４１】
感光体３１は、導電性の支持体の表面に感光層を設けた構成とされており、予め設定された回転速度で回転するようになっている。そして、各感光体３１の周囲には、感光体３１の回転方向の上流側から順に、感光体３１を帯電させる帯電ロール３３と、帯電ロール３３によって帯電した感光体３１の外周面を露光する露光装置４２と、露光装置４２の露光で感光体３１に形成された静電潜像を現像してトナー画像を形成する現像装置４４と、トナー画像を一次転写した後の感光体３１の外周面を清掃するクリーニングユニット４５と、が設けられている。
【００４２】
帯電ロール３３は、一例として、導電性のシャフト（図示省略）の周囲に導電性の弾性体層が形成された構成となっており、電圧印加部（図示省略）からシャフトに放電可能となる電圧が印加されることで、接地された感光体との間の電位差により放電が行われ、感光体３１の外周面を一例として負極性に帯電させる。
【００４３】
露光装置４２は、画像形成ユニット３２Ｙ、３２Ｍ、３２Ｃ、３２Ｋの斜め下方に設けられており、帯電ロール３３によって帯電した感光体３１の外周面を露光して静電潜像を形成する。詳細には、露光装置４２は、４つの画像形成ユニット３２Ｙ、３２Ｍ、３２Ｃ、３２Ｋに共通に構成された、４つの半導体レーザ（図示省略）が設けられており、これらの半導体レーザからレーザ光ＬＢ−Ｙ、ＬＢ−Ｍ、ＬＢ−Ｃ、ＬＢ−Ｋが、階調データに応じて出射されるようになっている。
【００４４】
半導体レーザから出射されたレーザ光ＬＢ−Ｙ、ＬＢ−Ｍ、ＬＢ−Ｃ、ＬＢ−Ｋは、シリンドリカルレンズ（図示省略）を介して回転多面鏡であるポリゴンミラー４２Ａに照射され、ポリゴンミラー４２Ａによって偏向走査される。そして、ポリゴンミラー４２Ａによって偏向走査されたレーザ光ＬＢ−Ｙ、ＬＢ−Ｍ、ＬＢ−Ｃ、ＬＢ−Ｋは、結像レンズ及び複数枚のミラー（図示省略）を通り、ガラス製のウインドウ４３Ｙ、４３Ｍ、４３Ｃ、４３Ｋを介して、感光体３１上の露光ポイントに、斜め下方から走査露光されるようになっている。なお、感光体３１上の静電潜像は、制御部２０から送られた画像信号に基づいて形成される。そして、制御部２０から送られる画像信号は、一例として、制御部２０が外部装置から取得した画像信号である。
【００４５】
現像装置４４は、感光体３１へ現像剤（一例として、トナー）を供給する現像ロール４４Ａと、現像ロール４４Ａへ付与される現像剤を攪拌しながら循環搬送する複数の搬送部材４４Ｂと、を有している。
【００４６】
クリーニングユニット４５は、クリーニングブレード４５Ａを有しており、クリーニングブレード４５Ａの先端が感光体３１の外周面と接触している。これにより、感光体３１の外周面に付着している残留トナーや紙粉などを掻き取るようになっている。
【００４７】
一方、中間転写ベルト３４は、無端状（環状）に形成されると共に、画像形成ユニット３２Ｙ、３２Ｍ、３２Ｃ、３２Ｋの上側（Ｙ方向側）に回転可能に配置されている。中間転写ベルト３４の内側には、中間転写ベルト３４が巻き掛けられる巻掛ロール５２、５３、５４、５５がＸ方向を軸方向として回転可能に設けられている。そして、中間転写ベルト３４は、巻掛ロール５２、５３、５４、５５のいずれかが回転駆動されることによって、感光体３１と接触しながら一方向（一例として、図２における反時計回り方向（矢印Ａ方向））へ循環移動（回転）するようになっている。なお、巻掛ロール５２は、二次転写ロール３８と対向する対向ロールとされている。
【００４８】
また、中間転写ベルト３４を間にして巻掛ロール５３と対向する位置には、二次転写後の中間転写ベルト３４の外周面に付着した残留トナーや紙粉などを清掃するクリーニングユニット５７が設けられている。クリーニングユニット５７は、クリーニングブレード５７Ａを有しており、クリーニングブレード５７Ａの先端が中間転写ベルト３４の外周面と接触している。これにより、中間転写ベルト３４の外周面に付着している残留トナーや紙粉などを掻き取るようになっている。
【００４９】
一次転写ロール３６は、中間転写ベルト３４を挟んで感光体３１に対向している。そして、一次転写ロール３６と感光体３１との間が、感光体３１に形成されたトナー画像が中間転写ベルト３４に転写される一次転写位置とされている。また、一次転写ロール３６には、電圧印加部（図示省略）から電圧が印加されるようになっており、接地された感光体３１と電圧が印加された一次転写ロール３６との間の電位差により、トナー画像が感光体３１から中間転写ベルト３４上へ一次転写される構成となっている。
【００５０】
二次転写ロール３８は、中間転写ベルト３４を挟んで巻掛ロール５２に対向している。そして、二次転写ロール３８と巻掛ロール５２との間が、中間転写ベルト３４に転写されたトナー画像が記録用紙Ｐに転写される二次転写位置とされている。また、二次転写ロール３８には、電圧印加部（図示省略）から電圧が印加されるようになっており、接地された巻掛ロール５２と電圧が印加された二次転写ロール３８との間の電位差により、トナー画像が中間転写ベルト３４上から記録用紙Ｐ上へ二次転写される構成となっている。
【００５１】
搬送部２６は、用紙収容部２２に収容された記録用紙Ｐを送り出す送出ロール５６と、送出ロール５６により送り出された記録用紙Ｐが搬送される搬送路５８と、搬送路５８に沿って配置された搬送ロール５９と、搬送路５８における搬送ロール５９よりも下流側で且つ二次転写位置よりも上流側に配置された位置合せロール６１と、を有している。
【００５２】
搬送路５８は、用紙収容部２２から二次転写位置を経て排出部１７まで延びている。そして、位置合せロール６１は、中間転写ベルト３４上に形成されたトナー画像が二次転写位置へ到達するタイミングに合わせて、記録用紙Ｐを二次転写位置へ搬送するようになっている。また、搬送路５８における二次転写位置よりも下流側の位置には、画像形成部２４によって記録用紙Ｐに形成されたトナー画像を記録用紙Ｐに定着させる定着装置６０が設けられている。
【００５３】
定着装置６０は、内部に熱源（一例としてハロゲンランプ）を有する加熱ロール６０Ａと、加熱ロール６０Ａとともに記録用紙Ｐを挟んで加圧する加圧ロール６０Ｂと、を有している。加熱ロール６０Ａは、搬送路５８に対して中間転写ベルト３４側に設けられている。そして、搬送路５８における定着装置６０よりも下流側の位置には、トナー画像が定着された記録用紙Ｐを排出部１７へ排出する排出ロール６２が設けられている。
【００５４】
一方、装置本体１０Ａ内には、表面にトナー画像が定着された記録用紙Ｐを反転させて、再び二次転写位置へ搬送するための反転搬送路６４が、搬送路５８に対する中間転写ベルト３４側とは反対側に設けられている。反転搬送路６４には、複数の搬送ロール６５が設けられている。そして、記録用紙Ｐの両面に画像を形成する場合には、表面にトナー画像が定着された記録用紙Ｐが、排出ロール６２の逆回転によりスイッチバックされて反転搬送路６４内に導かれ、位置合せロール６１を経由して二次転写位置へ搬送されるようになっている。これにより、裏面の画像形成が行われる。
【００５５】
（装置本体）
次に、装置本体１０Ａについて説明する。
【００５６】
図３及び図４に示すように、装置本体１０ＡにおけるＸ方向の端部には、Ｚ方向を長手方向とする矩形状の下側フレーム１３と、下側フレーム１３のＹ方向上側に配置された上側シャーシ１９とが、Ｙ−Ｚ面に沿って設けられている。下側フレーム１３及び上側シャーシ１９は、装置本体１０Ａの一部を構成している。なお、装置本体１０Ａにおける−Ｘ方向の端部には、側板（図示省略）が設けられているが、説明を省略する。
【００５７】
図４に示すように、下側フレーム１３は、Ｙ−Ｚ面に沿って平板状のフレーム本体１３Ａを有している。フレーム本体１３Ａの縁部には、Ｘ方向に延出された矩形状の前フランジ１３Ｂ、後フランジ１３Ｃ、下フランジ１３Ｄ、及び上フランジ１３Ｅが設けられている。前フランジ１３Ｂは、Ｘ−Ｙ面に沿って−Ｚ方向側の側壁を構成しており、後フランジ１３Ｃは、Ｘ−Ｙ面に沿ってＺ方向側の側壁を構成している。また、下フランジ１３Ｄは、Ｘ−Ｚ面に沿って−Ｙ方向側の底壁を構成しており、上フランジ１３Ｅは、Ｘ−Ｚ面に沿ってＹ方向側の上壁を構成している。そして、下側フレーム１３は、Ｘ方向に開放されており、下側フレーム１３内には、図４では図示を省略した後述する電源部７０（図３参照）が収容されている。
【００５８】
後フランジ１３Ｃには、Ｚ方向に貫通した複数の貫通孔で構成された排気口１３Ｆが形成されている。また、上フランジ１３Ｅには、−Ｚ方向端部でＹ方向に貫通した前側通気孔１３Ｇが形成されている。
【００５９】
図４及び図５に示すように、上側シャーシ１９は、後述する送風構造１００が設けられる送風部１９Ａと、送風部１９Ａから送り込まれた空気流を下側フレーム１３へ案内するダクト部１９Ｂと、画像形成ユニット３２Ｙ、３２Ｍ、３２Ｃ、３２Ｋの端部が取り付けられるユニット取付部１９Ｃと、定着装置６０が取り付けられる定着取付部１９Ｄと、に区分されている。
【００６０】
送風部１９Ａは、−Ｚ方向端部で且つＹ方向上部に形成されており、後述するファン１０２（図８参照）が嵌め込まれて取り付けられる四角筒状の取付部８２を有している。そして、取付部８２の−Ｘ方向側には、後述する整流部１１０（図９参照）が設けられている。
【００６１】
ダクト部１９Ｂは、送風部１９Ａの−Ｙ方向側に配置されており、送風ダクト２１を有している。送風ダクト２１は、−Ｘ方向に見て台形状である。また、図７に示すように、送風ダクト２１は、後述する整流部１１０によって旋回流が案内される案内方向（−Ｙ方向）に沿って周壁２１Ｃが配置されており、整流部１１０に接続されている。即ち、台形の上底部分に相当する開口部２１Ａが整流部１１０に接続され、台形の下底部分に相当する開口部２１Ｂが前側通気孔１３Ｇに接続されている。これにより、送風部１９Ａ側からダクト部１９Ｂを通って下側フレーム１３内に送風されるようになっている。
【００６２】
図４に示すように、ユニット取付部１９Ｃは、送風部１９Ａ及びダクト部１９ＢのＺ方向側に配置されており、中央部にはＸ方向に貫通した挿入孔８６が形成されている。挿入孔８６は、４つの画像形成ユニット３２Ｙ、３２Ｍ、３２Ｃ、３２Ｋ（図２参照）が挿入可能となる大きさで送風部１９Ａ側から上フランジ１３Ｅ側へ向けて斜め方向に、長孔状に広がっている。そして、４つの画像形成ユニット３２Ｙ、３２Ｍ、３２Ｃ、３２Ｋは、挿入孔８６にＸ方向側から−Ｘ方向へ挿入されて取り付けられ、Ｘ方向へ引き抜くことで取り外される。
【００６３】
また、図５及び図６に示すように、装置本体１０Ａにおけるユニット取付部１９Ｃよりも−Ｘ方向側には、画像形成ユニット３２Ｙ、３２Ｍ、３２Ｃ、３２Ｋ（図２参照）を下側から支持する支持フレーム９２が設けられている。
【００６４】
図５に示すように、支持フレーム９２は、ユニット取付部１９Ｃの−Ｚ方向端部で且つＹ方向側から、Ｚ方向端部で且つ−Ｙ方向側へ斜めに延びる板金部材である。そして、支持フレーム９２の上面には、Ｘ方向を長手方向とする凸部であり画像形成ユニット３２Ｙ、３２Ｍ、３２Ｃ、３２Ｋ（図２参照）を装置本体１０Ａ内に案内するガイドレール９４Ｙ、９４Ｍ、９４Ｃ、９４Ｋが形成されている。また、支持フレーム９２における各ガイドレール９４Ｙ、９４Ｍ、９４Ｃ、９４Ｋの間又は隣には、Ｘ方向に長い貫通孔であり露光装置４２からのレーザ光ＬＢ（図２参照）が通過する光通過窓９５Ｙ、９５Ｍ、９５Ｃ、９５Ｋが形成されている。
【００６５】
さらに、ユニット取付部１９Ｃには、送風部１９Ａ側でＸ方向に延びるフランジ部９７が設けられている。そして、フランジ部９７には、送風部１９Ａ側から流れてきた空気をユニット取付部１９Ｃ内に流入させる流入口９８が形成されている。また、ユニット取付部１９Ｃには、孔壁８６Ａよりも下側でＸ方向に貫通した通気孔９６Ｙ、９６Ｍ、９６Ｃ、９６Ｋが形成されている。これにより、流入口９８から流入した空気（空気流）が、通気孔９６Ｙ、９６Ｍ、９６Ｃ、９６Ｋを通って、画像形成ユニット３２Ｙ、３２Ｍ、３２Ｃ、３２Ｋ（図２参照）の底面と支持フレーム９２とで囲まれた空間（擬似ダクト９３（図６参照））内へ流れるようになっている。
【００６６】
なお、図３に示すように、画像形成ユニット３２Ｙ、３２Ｍ、３２Ｃ、３２Ｋ（図２参照）が装置本体１０Ａ内に取り付けられた後は、ユニット取付部１９ＣのＸ方向側に廃トナータンク９９が取り付けられるようになっている。廃トナータンク９９は、画像形成ユニット３２Ｙ、３２Ｍ、３２Ｃ、３２Ｋに接続されており、画像形成ユニット３２Ｙ、３２Ｍ、３２Ｃ、３２Ｋから送られた廃トナー（図示省略）を内部に貯留するようになっている。
【００６７】
図３及び図４に示すように、定着取付部１９Ｄは、ユニット取付部１９ＣのＺ方向端部で且つＹ方向上部に形成されている。そして、定着取付部１９Ｄには、定着装置６０（図２参照）のＸ方向側面からＸ方向に突出したピン（図示省略）を案内する案内溝８８が、Ｚ方向を案内方向として、且つＺ方向側に開放されて形成されている。
【００６８】
（電源部）
次に、電源部７０について説明する。
【００６９】
図３に示すように、電源部７０は、Ｚ方向を長手方向としＹ方向を短手方向とする矩形状の回路基板７２を有している。回路基板７２上（Ｘ方向側）には、一例として、抵抗（図示省略）、コイル７３Ａ、７３Ｂ、７３Ｃ、コンデンサ７４、電解コンデンサ７５、トランス７６などを含む複数の回路構成部品と、回路素子（図示省略）を冷却するためのヒートシンク７７Ａ、７７Ｂと、を有している。また、回路基板７２は、電源供給経路（図示省略）を介して、外部電源（図示省略）から電力供給されるようになっている。
【００７０】
電源部７０では、一例として、上記の複数の回路構成部品が、前側通気孔１３Ｇから排気口１３Ｆまでの後述する空気流Ｃ１、Ｄ１の流路（図１７参照）に沿って配置されている。特にヒートシンク７７Ａ、７７Ｂは、放熱部位（図示省略）を空気流Ｃ１、Ｄ１の流路に向けて配置されている。
【００７１】
（要部構成）
次に、送風構造１００について説明する。
【００７２】
図７に示すように、送風構造１００は、取付部８２内に取り付けられ吸気口１５（図１参照）と対向する送風手段の一例としてのファン１０２と、取付部８２の−Ｘ方向側に連続して設けられ取付部８２とともに送風部１９Ａを構成する整流部１１０と、整流部１１０の−Ｘ方向側に取り付けられた壁部の一例としてのダクトカバー部１２０と、を有している。即ち、整流部１１０は、ファン１０２とダクトカバー部１２０との間に設けられている。
【００７３】
（ファン）
次に、ファン１０２について説明する。
【００７４】
図８に示すように、ファン１０２は、軸流ファンであり、取付部８２（図７参照）内に収容可能な大きさの本体ケース１０３と、円筒状の回転軸１０４と、複数の翼部１０６と、回転軸１０４内に設けられ通電により回転軸１０４を回転させる駆動部（図示省略）と、を有している。本体ケース１０３には、−Ｘ方向に見て円形であり且つ−Ｘ方向に貫通した孔部１０３Ａが形成されており、孔部１０３Ａ内には、複数の翼部１０６が配置されている。そして、本体ケース１０３は、四隅がネジ１０９で取付部８２（図５参照）に固定されるようになっており、孔部１０３Ａの中心部には回転軸１０４が配置されている。
【００７５】
また、回転軸１０４内の駆動部は、本体ケース１０３の−Ｘ方向側（裏面側）から孔部１０３Ａの中央部に向けて延出された支持部（図示省略）により支持されている。さらに、回転軸１０４は、Ｘ方向を軸方向として配置されている。そして、回転軸１０４の外周面１０４Ａには、複数（一例として７枚）の翼部１０６が、周方向に間隔をあけて配置されるとともに径方向の外側へ延出されている。このように、ファン１０２は、軸流ファンとして構成されており、複数の翼部１０６の回転により回転軸１０４を中心とした旋回流を生じさせて−Ｘ方向側へ送風するようになっている。なお、旋回流とは、ファン１０２の複数の翼部１０６の回転に伴って、軸流方向（回転軸方向）成分だけでなく回転方向成分も有する空気流のことである。
【００７６】
（整流部）
次に、整流部１１０について説明する。
【００７７】
図９に示すように、整流部１１０は、−Ｘ方向に見て環状で回転軸１０４（図８参照）と同軸上に配置される環状部１１１を有している。また、整流部１１０は、互いに異なる方向へ向けて配置された複数（一例として３枚）の整流板１１２、１１３、１１４を有している。そして、整流板１１２、１１３、１１４の周囲には、整流板１１２、１１３、１１４を囲む側壁１１５（図１０参照）及び側壁１１９（図７参照）が設けられている。
【００７８】
整流板１１２は、−Ｘ方向に見て、−Ｘ方向に幅を有するとともに環状部１１１の右上部から右斜め上方（回転軸１０４（図８参照）の径方向）へ延びており、Ｚ方向へ向けて屈曲された２箇所の屈曲部１１２Ａ、１１２Ｂが形成されている。また、整流板１１２は、環状部１１１と一体化されている。なお、整流板１１２は、整流板１１４が旋回流を案内する向き（Ｚ方向側からＹ方向側への向き）とは逆向き（−Ｚ方向側から−Ｙ方向側への向き）に屈曲されており、該逆向きの方向の下流側（逆向きの方向に沿って案内された空気流が流れる方向の下流側）に設けられた排気口１３１（図１２参照）へ旋回流を案内するようになっている。
【００７９】
整流板１１３は、−Ｘ方向に見て、−Ｘ方向に幅を有するとともに環状部１１１の左上部から左斜め下方（回転軸１０４（図８参照）の径方向）へ延びており、−Ｙ方向へ向けて屈曲された屈曲部１１３Ａと、Ｚ方向へ向けて屈曲された２箇所の屈曲部１１３Ｂ、１１３Ｃとが形成されている。また、整流板１１３は、環状部１１１と一体化されている。
【００８０】
整流板１１４は、−Ｘ方向に見て、環状部１１１に対して右下方へ間隔をあけて設けられており、−Ｘ方向に幅を有するとともにＹ方向に凸の山型とされ、屈曲部１１４Ａ、１１４Ｂが形成されている。また、整流板１１４のＸ方向側の部位は環状部１１１まで伸びており、環状部１１１と一体化されている。即ち、整流板１１４には、環状部１１１の外周面に沿って孔部１１４Ｃが形成されている。
【００８１】
ここで、整流板１１２、１１３、１１４は、ファン１０２（図８参照）が生じさせる旋回流に沿うように（旋回流が流れる方向に沿って旋回流を案内するように）、各屈曲部の配置及び各整流板全体の傾きが、シミュレーションにより設定されている。即ち、整流板１１２、１１３、１１４は、旋回流に沿うように、設定した緩和曲線に沿って配置されている。なお、緩和曲線とは、直線と円弧を繋ぐ一定の曲率で変わる曲線である。
【００８２】
また、整流部１１０は、整流板１１２及び整流板１１３で仕切られた空間の一例としての第１整流室１１６と、整流板１１３及び整流板１１４で仕切られた空間の一例としての第２整流室１１７と、整流板１１２及び整流板１１４で仕切られた空間の一例としての第３整流室１１８と、を有している。本実施形態では、一例として、１組の隣接する第２整流室１１７と第３整流室１１８が、整流板１１４の孔部１１４Ｃを介して繋がっている。
【００８３】
整流部１１０は、このような構成とされているため、ファン１０２（図７参照）の送風方向（−Ｘ方向）と交差する交差方向（Ｚ方向含む）へ、ファン１０２の旋回流を案内する。また、本実施形態では、第３整流室１１８が、整流板１１２と、整流板１１４と、Ｚ方向側に配置された側壁１１５（図１０参照）とで囲まれており、後述するように、ファン１０２で発生した旋回流の一部をさらに旋回させて、旋回方向とは異なる方向へ旋回流を案内するようになっている。
【００８４】
図７に示すように、整流部１１０は、ファン１０２の送風側（−Ｘ方向側）の面からダクトカバー部１２０の対向面１２１までの空間を覆っており、整流部１１０とダクトカバー部１２０が接続されてダクトの一例としての分岐ダクト１３０を形成している。また、整流部１１０は、ファン１０２の回転軸方向（Ｘ方向）に見て、ファン１０２の翼部１０６が回転する領域（円形領域）と対向して設けられている。さらに、図１０に示すように、整流部１１０には、既述のように、周壁２１Ｃが配置された送風ダクト２１が接続されている。
【００８５】
（ダクトカバー部）
次に、ダクトカバー部１２０について説明する。
【００８６】
図１１に示すように、ダクトカバー部１２０は、整流部１１０の−Ｘ方向側を覆うように送風部１９Ａに取り付けられている。また、ダクトカバー部１２０は、既述の送風ダクト２１（図７参照）へ旋回流（空気流）を案内するダクトフレーム１２２と、流入口９８（図１０参照）を通ってユニット取付部１９Ｃ側へ、又は後述する中間転写側ダクト１４０（図１２参照）へ旋回流（空気流）を案内するダクトベース１２４と、を有している。
【００８７】
図１２及び図１３に示すように、ダクトフレーム１２２は、ファン１０２（図７参照）と対向する対向面１２１、案内面の一例としての湾曲面１２５、及び他の案内面の一例としての湾曲面１２７を有している。また、ダクトフレーム１２２は、−Ｘ方向に見て、Ｙ方向上部から−Ｚ方向側部にかけて、Ｘ方向を幅方向とする側壁１２２Ａが形成されている。そして、ダクトフレーム１２２の−Ｙ方向側からＺ方向側にかけての部位は開放されており、ダクトベース１２４に取り付けられることで仕切られ、第１案内室１２６が形成されている。
【００８８】
ダクトフレーム１２２の対向面１２１は、Ｙ−Ｚ面に沿って配置されている。また、対向面１２１のＹ方向側の端部（上端部）に連続して、湾曲面１２５が形成されている。湾曲面１２５は、Ｙ方向側から−Ｘ方向側へ円弧状に形成されており、−Ｘ方向へ流れる空気流を交差方向の一例としての−Ｙ方向へ案内するように形成されている。
【００８９】
また、図７に示すように、対向面１２１の−Ｙ方向側の端部（下端部）に連続して、湾曲面１２７が形成されている。そして、湾曲面１２７におけるＹ方向端部（対向面１２１側の下端部）が湾曲部１２３とされている。
【００９０】
湾曲部１２３及び湾曲面１２７は、ファン１０２側（Ｘ方向側）へ向けて湾曲している。これにより、ファン１０２から整流部１１０を超えてダクトカバー部１２０内に流入した空気流が、対向面１２１及び湾曲面１２５に案内され、Ｘ方向及び−Ｙ方向側へ流れるようになっている。ここで、ダクトカバー部１２０のＸ方向の幅ｄは、ファン１０２のＹ方向の高さｈに比べて小さく設定されており、一例として、ｈ＝９２ｍｍ、ｄ＝３２ｍｍとなっている。
【００９１】
一方、図１２に示すように、ダクトベース１２４は、ファン１０２（図７参照）と対向する対向面１２８を有している。対向面１２８の−Ｚ方向側中央には、環状部１１１（図９参照）とほぼ同じ外径で且つ環状部１１１の中心軸と同軸で配置される円柱状の円形部１２４Ａが形成されている。
【００９２】
ダクトベース１２４を−Ｘ方向に見て、円形部１２４Ａの上部には、Ｙ方向に直立した仕切壁１２４Ｂが形成されており、円形部１２４Ａの右斜め上部には、整流板１１２（図９参照）と隙間無く突き当たる案内壁１２４Ｃが形成されている。仕切壁１２４Ｂは、ダクトフレーム１２２とダクトベース１２４とを仕切っており、案内壁１２４Ｃは、後述する中間転写側ダクト１４０へ空気流を案内するようになっている。
【００９３】
また、ダクトベース１２４を−Ｘ方向に見て、円形部１２４ＡのＺ方向に対する−Ｙ方向側で円形部１２４Ａから離れた位置には、整流板１１４（図９参照）と隙間無く突き当たる仕切壁１２４Ｄが形成されており、円形部１２４Ａの−Ｙ方向側には、間隔をあけてＺ方向側に延びる案内壁１２４Ｅが形成されている。仕切壁１２４Ｄは、ダクトベース１２４内を仕切っており、案内壁１２４Ｅは、ユニット取付部１９Ｃ（図３参照）へ空気流を案内するようになっている。
【００９４】
さらに、ダクトベース１２４を−Ｘ方向に見て、案内壁１２４Ｅの−Ｚ方向端部には、Ｙ方向に直立する仕切壁１２４Ｆが形成されており、仕切壁１２４ＤのＺ方向端部には、右斜め上方へ向けて延出された案内壁１２４Ｇが形成されている。仕切壁１２４Ｆは、ダクトフレーム１２２とダクトベース１２４とを仕切っており、案内壁１２４Ｇは、案内壁１２４Ｃとともに中間転写側ダクト１４０へ空気流を案内するようになっている。
【００９５】
加えて、ダクトベース１２４において、ダクトフレーム１２２の湾曲面１２５の下側（−Ｙ方向側）には、湾曲面１２５に沿って流れる空気流を送風ダクト２１（図７参照）へ案内する案内壁１２４Ｈが形成されている。
【００９６】
ここで、ダクトベース１２４内には、円形部１２４Ａ、仕切壁１２４Ｆ、仕切壁１２４Ｄ、及び案内壁１２４Ｅで囲まれた第２案内室１２７と、円形部１２４Ａ、案内壁１２４Ｃ、仕切壁１２４Ｄ、及び案内壁１２４Ｇで囲まれた第３案内室１２９とが形成されている。なお、第１案内室１２６と第２案内室１２７は、開口部１２４Ｉを介して繋がっており、第２案内室１２７と第３案内室１２９は、円形部１２４Ａと仕切壁１２４Ｄとの間の孔部１２４Ｊを介して繋がっている。
【００９７】
（中間転写側ダクト）
次に、中間転写側ダクト１４０について説明する。
【００９８】
図２に示すように、中間転写側ダクト１４０は、制御部２０とクリーニングユニット５７との間でＸ方向に延びて設けられており、送風口１４２が中間転写ベルト３４の上方へ向けて開口している。
【００９９】
図１４（Ａ）、（Ｂ）に示すように、中間転写側ダクト１４０は、Ｙ−Ｚ断面がほぼ三角形状でＸ方向を長手方向とする本体部１４０Ａと、本体部１４０ＡのＸ方向側の端部でＹ方向に突出した接続部１４０Ｂと、本体部１４０ＡのＸ方向中央でＹ方向に突出した送風部１４０Ｃと、を有している。
【０１００】
図１４（Ｂ）に示すように、本体部１４０Ａは、−Ｚ方向側が開放されており、この−Ｚ方向側が蓋部材（図示省略）で閉じられている。また、本体部１４０Ａ内部には、送風部１４０Ｃの−Ｘ方向側の側壁の−Ｙ方向側にＹ−Ｚ面に沿って配置され、本体部１４０Ａ内を仕切る仕切壁１４０Ｄが設けられている。そして、本体部１４０Ａ内部は、仕切壁１４０Ｄによって、空気流が流れる送風室１４４Ａと、空気流が流れない小室１４４Ｂとに仕切られている。
【０１０１】
接続部１４０Ｂは、ダクトカバー部１２０の案内壁１２４Ｃ、１２４Ｇ（図１２参照）のＺ方向端部に接続されている。これにより、ダクトカバー部１２０内の第３案内室１２９から送風室１４４Ａ内へ空気流が流れるようになっている。
【０１０２】
図１４（Ａ）に示すように、送風部１４０ＣのＺ方向側の側面には、Ｘ方向に長くＺ方向に開口した既述の送風口１４２が形成されている。これにより、ダクトカバー部１２０（図１２参照）内から送風室１４４Ａ（図１４（Ｂ）参照）内へ流入した空気流が、送風口１４２から中間転写ベルト３４（図２参照）上へ流れるようになっている。
【０１０３】
（画像形成動作）
次に、画像形成装置１０の画像形成動作について説明する。
【０１０４】
図１に示すように、画像形成装置１０では、用紙収容部２２から送出ロール５６によって送り出された記録用紙Ｐが、搬送ロール５９で搬送され、位置合せロール６１によって二次転写位置へ送り込まれる。
【０１０５】
一方、画像形成ユニット３２Ｙ、３２Ｍ、３２Ｃ、３２Ｋでは、帯電ロール３３によって帯電した感光体３１が露光装置４２によって露光され、感光体３１に静電潜像が形成される。この静電潜像は、現像装置４４によって現像され、感光体３１にトナー画像が形成される。そして、画像形成ユニット３２Ｙ、３２Ｍ、３２Ｃ、３２Ｋで形成された各色のトナー画像は、一次転写位置にて中間転写ベルト３４上に重ねられ、カラー画像が形成される。このカラー画像は、二次転写位置にて記録用紙Ｐへ転写される。
【０１０６】
トナー画像が転写された記録用紙Ｐは、定着装置６０へ搬送され、転写されたトナー画像が定着装置６０により定着される。なお、記録用紙Ｐの表面（片面）のみにトナー画像を形成する場合は、トナー画像が定着された後、記録用紙Ｐが排出ロール６２により排出部１７へ排出される。一方、記録用紙Ｐの両面へ画像を形成する場合には、片面に画像が形成された後、記録用紙Ｐが、排出ロール６２でスイッチバックされ反転して反転搬送路６４へ送り込まれる。さらに、記録用紙Ｐは、反転搬送路６４から再び二次転写位置へ送り込まれ、画像が記録されていない反対面（裏面）に上記と同様の工程でトナー画像が形成され、排出ロール６２により排出部１７へ排出される。このようにして、一連の画像形成動作が行われる。
【０１０７】
（作用）
次に、本実施形態の作用について説明する。
【０１０８】
図１５に示すように、ファン１０２が駆動され回転軸１０４及び複数の翼部１０６が回転すると、吸気口１５（図１参照）から吸気（矢印Ｂで示す）が行われるとともに、ファン１０２及び分岐ダクト１３０において旋回流（矢印Ｃ、Ｄで示す）が生じる。なお、整流部１１０内における旋回流を矢印Ｃ、ダクトカバー部１２０内における旋回流を矢印Ｄで区別している。また、以後の説明では、旋回流Ｃ、Ｄをさらに区別するために符号Ｃ、Ｄに数字を付与して区別する場合がある。
【０１０９】
続いて、図１６（Ａ）に示すように、整流部１１０における第１整流室１１６では、旋回流Ｃ１が整流板１１３により下流側（送風ダクト２１（図１５参照））へ案内される。また、第２整流室１１７では、旋回流Ｃ２が整流板１１３及び整流板１１４により下流側（ユニット取付部１９Ｃ（図１７参照））へ案内される。このとき、旋回流Ｃ２の一部は、孔部１１４Ｃを通って第３整流室１１８へ流入する。
【０１１０】
さらに、図１６（Ｂ）に示すように、第３整流室１１８では、第３整流室１１８内に直接流入した旋回流Ｃ３と、第２整流室１１７から流入した旋回流Ｃ２とが、整流板１１２及び整流板１１４によって旋回され（案内され）、旋回流Ｃ４が生じる。そして、旋回流Ｃ４は、下流側（中間転写側ダクト１４０（図１８参照））へ案内される。なお、旋回流Ｃ３が直接下流側へ流れる場合もあるが、ここでは旋回流Ｃ３を省略して旋回流Ｃ４で示す。
【０１１１】
このように、送風構造１００では、ファン１０２（図１５参照）で生じた旋回流Ｃ１、Ｃ２、Ｃ３が整流部１１０の整流板１１２、整流板１１３、整流板１１４に案内され、送風方向と交差する交差方向へ旋回したままの状態で流れる。これにより、ダクトカバー部１２０がファン１０２に近接して設けられていても、送風の抵抗が抑えられるので、送風方向と交差する交差方向へ送風するときの送風の圧力損失が抑制される。
【０１１２】
また、図１０に示すように、整流部１１０の周囲は、側壁１１５及び側壁１１９（図７参照）を含む送風部１９Ａの壁で囲まれており、ファン１０２（図１５参照）の送風側の面からダクトカバー部１２０の対向面１２１、１２８（図１２参照）までの空間が覆われているので、ファン１０２とダクトカバー部１２０との間で空気の漏れが抑制される。
【０１１３】
さらに、整流部１１０は、整流板１１２、整流板１１３、及び整流板１１４を有しているので、ファン１０２の旋回流が整流板１１２、整流板１１３、整流板１１４に沿って、複数の方向へ送風される。
【０１１４】
加えて、図１５に示すように、整流部１１０は、ファン１０２の回転軸方向（Ｘ方向）に見て、ファン１０２の翼部１０６が回転する領域と対向して設けられている。このため、翼部１０６と整流部１１０が対向していない構成に比べると、送風構造１００が小型化される。
【０１１５】
また、図１６（Ｂ）に示すように、送風構造１００では、第３整流室１１８においてさらなる旋回が行われ、旋回流Ｃ３の流れる方向とは異なる（逆方向となる）案内方向（中間転写側ダクト１４０（図１８参照）に向かう方向）を旋回方向とする旋回流Ｃ４が生じる。そして、旋回流Ｃ４は、排気口１３１へ流れる。このため、旋回流Ｃ３をさらに旋回させない構成に比べると、旋回流Ｃ３を送りにくい方向（Ｚ方向）へ送風し易くなる。
【０１１６】
さらに、送風構造１００では、第２整流室１１７と第３整流室１１８が孔部１１４Ｃで繋がっているので、第２整流室１１７と第３整流室１１８が繋がっていない構成に比べると、第３整流室１１８内の空気流（旋回流）が増加する。これにより、一方向（ここでは中間転写側ダクト１４０）への送風量が増加する。また、孔部１１４Ｃから第３整流室１１８へ流入する旋回流Ｃ２は、第３整流室１１８内で旋回する空気流を−Ｙ方向側から押し上げるので、第３整流室１１８内の空気流を案内方向（中間転写側ダクト１４０へ向かう方向（図１８参照））へ送り易くなる。
【０１１７】
一方、図１２に示すように、ダクトカバー部１２０における第１案内室１２６では、第１案内室１２６内に流入し、ダクトフレーム１２２により流れる方向を−Ｘ方向から−Ｙ方向へ変更された旋回流Ｄ１が、湾曲面１２５により下流側（送風ダクト２１（図１５参照））へ案内される。また、第２案内室１２７では、第２案内室１２７内に流入し、ダクトベース１２４により流れる方向を−Ｘ方向から−Ｙ方向へ変更された旋回流Ｄ２が、案内壁１２４Ｅにより下流側（ユニット取付部１９Ｃ（図１７参照））へ案内される。このとき、旋回流Ｄ２の一部は、孔部１２４Ｊを通って第３案内室１２９へ流入する。
【０１１８】
さらに、第３案内室１２９では、第３案内室１２９内に直接流入した旋回流Ｄ３と、第２案内室１２７から流入した旋回流Ｄ２とが、案内壁１２４Ｃによって旋回され（案内され）、旋回流Ｄ４が生じる。そして、旋回流Ｄ４は、下流側（中間転写側ダクト１４０（図１８参照））へ案内される。なお、旋回流Ｄ３が直接下流側へ流れる場合もあるが、ここでは旋回流Ｄ３を省略して旋回流Ｄ４で示す。
【０１１９】
ここで、図１５に示すように、送風構造１００では、整流部１１０とダクトカバー部１２０が接続されて分岐ダクト１３０を形成しているので、整流部１１０とダクトカバー部１２０が接続されていない構成に比べて、空気流の漏れが抑制され、設定した方向へ送風し易くなる。
【０１２０】
また、送風構造１００では、ダクトカバー部１２０が湾曲面１２５を有しているので、整流部１１０からダクトカバー部１２０へ流れてきた空気流（旋回流含む）が湾曲面１２５に沿って流れる。これにより、空気流の圧力が減少しにくくなるので、送風方向と交差する交差方向（−Ｙ方向）へ空気流を案内し易くなる。
【０１２１】
さらに、送風構造１００では、湾曲面１２５がファン１０２側へ湾曲している。このため、空気流（送風）の圧力損失を抑制しつつ、ファン１０２から下流側へ流れた空気流が、ファン１０２の周囲へ送風される。
【０１２２】
続いて、旋回流Ｃ１、Ｄ１は、送風ダクト２１（図１５参照）へ流れる。また、旋回流Ｃ２、Ｄ２は、ユニット取付部１９Ｃ（図１７参照）へ流れる。さらに、旋回流Ｃ４、Ｄ４は、中間転写側ダクト１４０へ流れる。なお、整流部１１０の外側及びダクトカバー部１２０の外側では、旋回流Ｃ１、Ｃ２、Ｃ４、Ｄ１、Ｄ２、Ｄ４を空気流Ｃ１、Ｃ２、Ｃ４、Ｄ１、Ｄ２、Ｄ４と記載して、旋回流と空気流を対応させる。
【０１２３】
続いて、図１７に示すように、送風ダクト２１を通って前側通気孔１３Ｇから下側フレーム１３内に流入した空気流Ｃ１、Ｄ１は、電源部７０のコイル７３Ａ、７３Ｂ、７３Ｃ、コンデンサ７４、電解コンデンサ７５、トランス７６などを含む複数の回路構成部品付近を流れ、これらから熱を奪うとともに排気口１３Ｆから外側へ排気される。また、空気流Ｃ１、Ｄ１が流れる経路に配置されたヒートシンク７７Ａ、７７Ｂでは、空気流Ｃ１、Ｄ１による放熱作用が高まる。
【０１２４】
ここで、図１５に示すように、整流部１１０には、整流部１１０によって旋回流が案内される案内方向に沿って周壁２１Ｃが配置された送風ダクト２１が接続されているので、周壁２１Ｃが旋回流を案内する方向に沿って設けられていない構成に比べると、整流部１１０よりも下流側における空気流（送風）の圧力損失が抑制される。
【０１２５】
一方、図１７に示すように、整流部１１０及びダクトカバー部１２０から流入口９８を通ってユニット取付部１９Ｃ内に流入した空気流Ｃ２、Ｄ２は、Ｘ方向に張り出した複数のフランジ（図示省略）と廃トナータンク９９（図３参照）とで囲まれた疑似ダクト２３内を、Ｚ方向に向けて−Ｙ方向側へ流れる。これにより、空気流Ｃ２、Ｄ２が、通気孔９６Ｙ、９６Ｍ、９６Ｃ、９６Ｋへ到達する。そして、図６及び図１７に示すように、空気流Ｃ２、Ｄ２は、通気孔９６Ｙ、９６Ｍ、９６Ｃ、９６Ｋを通って各擬似ダクト９３内へ流入し、−Ｘ方向へ流れる。さらに、図１９に示すように、空気流Ｃ２、Ｄ２は、画像形成装置１０における−Ｘ方向側の端部にある側板（図示省略）からＹ方向へ上昇し、左側排気口１６Ａから排気される。
【０１２６】
また、図１８に示すように、整流部１１０及びダクトカバー部１２０（図１７参照）から中間転写側ダクト１４０に流入した空気流Ｃ４、Ｄ４は、送風口１４２から中間転写ベルト３４と排出部１７との間をＺ方向側へ流れる。そして、空気流Ｃ４、Ｄ４は、高温状態の定着装置６０の−Ｚ方向側とＺ方向側とに分岐して流れる。さらに、図１８及び図１９に示すように、定着装置６０の−Ｚ方向側を流れた空気流Ｃ４、Ｄ４は、定着装置６０の熱で温められることによる煙突効果でＹ方向に上昇し、奥側排気口１６Ｂ又は排出口１７Ｂから排気される。また、定着装置６０の−Ｙ方向側を通ってＺ方向側へ流れた空気流Ｃ４、Ｄ４は、定着装置６０の熱で温められることによる煙突効果でＹ方向に上昇し、奥側排気口１６Ｂから排気される。
【０１２７】
このように、画像形成装置１０では、ファン１０２の配置に制約がある（ダクトカバー部１２０（図１５参照）がファン１０２に近接配置されている）構成であっても、整流部１１０によって旋回流が案内されるので、送風（空気流）の圧力損失が抑制されるとともに、画像形成部２４、定着装置６０、及び電源部７０（図１７参照）が冷却される。
【０１２８】
なお、本発明は上記の実施形態に限定されない。
【０１２９】
各屈曲部１１２Ａ、１１２Ｂ、１１３Ａ、１１３Ｂ、１１３Ｃ、１１４Ａ、１１４Ｂ（図９参照）に換えて、整流板１１２、１１３、１１４を湾曲させて（湾曲面で構成して）、湾曲部を設けてもよい。また、屈曲部の数は、１、２箇所に限らず、複数でも、湾曲面で構成していれば０でもよい。
【０１３０】
送風構造１００は、画像形成部２４、定着装置６０、及び電源部７０のうち１つあるいは２つに送風するように構成してもよい。
【符号の説明】
【０１３１】
１０  画像形成装置
２１  送風ダクト
２１Ｃ  周壁
２４  画像形成部
６０  定着装置（定着部の一例）
７０  電源部
１００  送風構造
１０２  ファン（送風手段の一例）
１０４  回転軸
１０６  翼部
１１０  整流部
１１２  整流板
１１２Ａ  屈曲部
１１２Ｂ  屈曲部
１１３  整流板
１１３Ａ  屈曲部
１１３Ｂ  屈曲部
１１３Ｃ  屈曲部
１１４  整流板
１１４Ａ  屈曲部
１１４Ｂ  屈曲部
１１４Ｃ  孔部
１１６  第１整流室（空間の一例）
１１７  第２整流室（空間の一例）
１１８  第３整流室（空間の一例）
１２０  ダクトカバー部（壁部の一例）
１２５  湾曲面（案内面の一例）
１２７  湾曲面（他の案内面の一例）
１３０  分岐ダクト（ダクトの一例）
１３１  排気口
【図１】
2013205476.tif 000003
【図２】
2013205476.tif 000004
【図３】
2013205476.tif 000005
【図４】
2013205476.tif 000006
【図５】
2013205476.tif 000007
【図６】
2013205476.tif 000008
【図７】
2013205476.tif 000009
【図８】
2013205476.tif 000010
【図９】
2013205476.tif 000011
【図１０】
2013205476.tif 000012
【図１１】
2013205476.tif 000013
【図１２】
2013205476.tif 000014
【図１３】
2013205476.tif 000015
【図１４】
2013205476.tif 000016
【図１５】
2013205476.tif 000017
【図１６】
2013205476.tif 000018
【図１７】
2013205476.tif 000019
【図１８】
2013205476.tif 000020
【図１９】
2013205476.tif 000021